(57)【特許請求の範囲】
【請求項１】
アクセス端末において干渉を除去する方法であって、
１組のセクタを生成することであり、前記１組のセクタが、前記アクセス端末のためのアクティブセットに含まれない少なくとも１つのセクタを備え、
ここにおいて、前記アクティブセットに含まれない前記少なくとも１つのセクタが、候補セットに含まれるセクタを備え、前記候補セットが、前記アクセス端末のための前記アクティブセットに追加される候補である１組のセクタを備え、ここにおいて、前記アクティブセットに追加される候補である前記１組のセクタは、サービングセクタに隣接しないセクタを含む、ことと、
前記１組のセクタにおける各セクタに、干渉推定値の生成のために前記各セクタのパイロット測定を行うために、前記アクセス端末における受信機の少なくとも１つのフィンガーを割り当てることと、
前記１組のセクタに対応する前記干渉推定値を生成することと、
前記生成された干渉推定値に従って前記１組のセクタからの干渉を除去することと
を備える方法。
【請求項２】
前記少なくとも１つのセクタのパイロットエネルギーに従って前記１組のセクタに含まれるべき前記少なくとも１つのセクタを選択することをさらに備える、請求項１に記載の方法。
【請求項３】
前記候補セットに含まれる各セクタのパイロットエネルギーに従って前記アクセス端末のための候補セットに含まれるセクタをランク付けすることと、
前記ランク付けに従って前記１組のセクタに含まれるべき前記少なくとも１つのセクタを選択することと
をさらに備える、請求項１に記載の方法。
【請求項４】
前記１組のセクタを生成することが、
前記候補セットにおける前記セクタの各々のパイロットエネルギーに従って、前記候補セットにおけるＮ個の最も強いセクタを選択することと、
前記１組のセクタに前記Ｎ個の選択されたセクタのうちの少なくとも１つを追加することと
を備える、請求項１に記載の方法。
【請求項５】
前記候補セットから第１のセクタが削除されることに応答して、前記１組のセクタから前記第１のセクタを削除することをさらに含む、請求項１に記載の方法。
【請求項６】
結合された１組のセクタの各々の信号対干渉雑音比に従って、前記アクセス端末のための前記アクティブセットおよび前記候補セットにおける前記セクタを備える前記結合された１組のセクタをランク付けすることと、
前記ランク付けに従って前記１組のセクタを再生することと
をさらに備える、請求項１に記載の方法。
【請求項７】
前記１組のセクタが、前記アクセス端末のための前記アクティブセットに含まれるすべてよりも少ないセクタを備える、請求項１に記載の方法。
【請求項８】
ワイヤレス通信のために構成されたアクセス端末であって、
１組のセクタを生成するための手段であり、前記１組のセクタが、前記アクセス端末のためのアクティブセットに含まれない少なくとも１つのセクタを備え、
ここにおいて、前記アクティブセットに含まれない前記少なくとも１つのセクタが、候補セットに含まれるセクタを備え、前記候補セットが、前記アクセス端末のための前記アクティブセットに追加される候補である１組のセクタを備え、ここにおいて、前記アクティブセットに追加される候補である前記１組のセクタは、サービングセクタに隣接しないセクタを含む、手段と、
前記１組のセクタにおける各セクタに、干渉推定値の生成のために前記各セクタのパイロット測定を行うために、前記アクセス端末における受信機の少なくとも１つのフィンガーを割り当てるための手段と、
前記１組のセクタに対応する前記干渉推定値を生成するための手段と、
前記生成された干渉推定値に従って前記１組のセクタからの干渉を除去するための手段と
を備えるアクセス端末。
【請求項９】
前記少なくとも１つのセクタのパイロットエネルギーに従って前記１組のセクタに含まれるべき前記少なくとも１つのセクタを選択するための手段
をさらに備える、請求項８に記載のアクセス端末。
【請求項１０】
前記候補セットに含まれる各セクタのパイロットエネルギーに従って前記アクセス端末のための候補セットに含まれるセクタをランク付けするための手段と、
前記ランク付けに従って前記１組のセクタに含まれるべき前記少なくとも１つのセクタを選択するための手段と
をさらに備える、請求項８に記載のアクセス端末。
【請求項１１】
前記１組のセクタを生成するための前記手段が、
前記候補セットにおける前記セクタの各々のパイロットエネルギーに従って、前記候補セットにおけるＮ個の最も強いセクタを選択するための手段と、
前記１組のセクタに前記Ｎ個の選択されたセクタのうちの少なくとも１つを追加するための手段と
を備える、請求項８に記載のアクセス端末。
【請求項１２】
前記候補セットから前記第１のセクタが削除されることに応答して、前記１組のセクタから第１のセクタを削除するための手段
をさらに備える請求項８に記載のアクセス端末。
【請求項１３】
結合された１組のセクタの各々の信号対干渉雑音比に従って、前記アクセス端末のための前記アクティブセットおよび前記候補セットにおける前記セクタを備える前記結合された１組のセクタをランク付けするための手段と、
前記ランク付けに従って前記１組のセクタを再生するための手段と
をさらに備える、請求項８に記載のアクセス端末。
【請求項１４】
前記１組のセクタが、前記アクセス端末のための前記アクティブセットに含まれるすべてよりも少ないセクタを備える、請求項８に記載のアクセス端末。
【請求項１５】
ワイヤレス通信のために構成されたアクセス端末であって、
処理回路と、
前記処理回路に結合されたメモリと、
前記処理回路に結合された通信インターフェースであり、干渉除去エンジンを備える通信インターフェースと
を備え、前記処理回路が、
１組のセクタを生成することであり、前記１組のセクタが、前記アクセス端末のためのアクティブセットに含まれない少なくとも１つのセクタを備え、
ここにおいて、前記アクティブセットに含まれない前記少なくとも１つのセクタが、候補セットに含まれるセクタを備え、前記候補セットが、前記アクセス端末のための前記アクティブセットに追加される候補である１組のセクタを備え、ここにおいて、前記アクティブセットに追加される候補である前記１組のセクタは、サービングセクタに隣接しないセクタを含む、ことと、
前記１組のセクタにおける各セクタに、干渉推定値の生成のために前記各セクタのパイロット測定を行うために、前記通信インターフェースの受信機の少なくとも１つのフィンガーを割り当てることと、
前記１組のセクタに対応する前記干渉推定値を生成することと、
前記生成された干渉推定値に従って前記１組のセクタからの干渉を除去することと
を行うように構成される
アクセス端末。
【請求項１６】
前記処理回路が、前記少なくとも１つのセクタのパイロットエネルギーに従って前記１組のセクタに含まれるべき前記少なくとも１つのセクタを選択するようにさらに構成される、請求項１５に記載のアクセス端末。
【請求項１７】
前記処理回路が、
前記候補セットに含まれる各セクタのパイロットエネルギーに従って前記アクセス端末のための候補セットに含まれるセクタをランク付けし、
前記ランク付けに従って前記１組のセクタに含まれるべき前記少なくとも１つのセクタを選択する
ようにさらに構成される、請求項１５に記載のアクセス端末。
【請求項１８】
前記１組のセクタを生成するように構成された前記処理回路が、
前記候補セットにおける前記セクタの各々のパイロットエネルギーに従って、前記候補セットにおけるＮ個の最も強いセクタを選択し、
前記１組のセクタに前記Ｎ個の選択されたセクタのうちの少なくとも１つを追加する
ようにさらに構成される、請求項１５に記載のアクセス端末。
【請求項１９】
前記処理回路が、前記候補セットから第１のセクタが削除されることに応答して、前記１組のセクタから前記第１のセクタを削除するようにさらに構成される、請求項１５に記載のアクセス端末。
【請求項２０】
前記処理回路が、
結合された１組のセクタの各々の信号対干渉雑音比に従って、前記アクセス端末のための前記アクティブセットおよび前記候補セットにおける前記セクタを備える前記結合された１組のセクタをランク付けし、
前記ランク付けに従って前記１組のセクタを再生する
ようにさらに構成される、請求項１５に記載のアクセス端末。
【請求項２１】
前記１組のセクタが、前記アクセス端末のための前記アクティブセットに含まれるすべてよりも少ないセクタを備える、請求項１５に記載のアクセス端末。
【請求項２２】
ワイヤレス通信のために構成されたアクセス端末で動作可能な非一時的コンピュータ可読記憶媒体に記憶されたコンピュータプログラムであって、コンピュータに、
１組のセクタを生成することであり、前記１組のセクタが、前記アクセス端末のためのアクティブセットに含まれない少なくとも１つのセクタを備え、
ここにおいて、前記アクティブセットに含まれない前記少なくとも１つのセクタが、候補セットに含まれるセクタを備え、前記候補セットが、前記アクセス端末のための前記アクティブセットに追加される候補である１組のセクタを備え、ここにおいて、前記アクティブセットに追加される候補である前記１組のセクタは、サービングセクタに隣接しないセクタを含む、ことと、
前記１組のセクタにおける各セクタに、干渉推定値の生成のために前記各セクタのパイロット測定を行うために、通信インターフェースの受信機の少なくとも１つのフィンガーを割り当てることと、
前記１組のセクタに対応する前記干渉推定値を生成することと、
前記生成された干渉推定値に従って前記１組のセクタからの干渉を除去することと
を行わせるための命令を備える
コンピュータプログラム。
【請求項２３】
コンピュータに、前記少なくとも１つのセクタのパイロットエネルギーに従って前記１組のセクタに含まれるべき前記少なくとも１つのセクタを選択させるための命令をさらに備える、請求項２２に記載のコンピュータプログラム。
【請求項２４】
コンピュータに、
候補セットに含まれる各セクタのパイロットエネルギーに従って前記アクセス端末のための前記候補セットに含まれるセクタをランク付けさせ、
前記ランク付けに従って前記１組のセクタに含まれるべき前記少なくとも１つのセクタを選択させる
ための命令をさらに備える、請求項２２に記載のコンピュータプログラム。
【請求項２５】
コンピュータに前記１組のセクタを生成させるための前記命令が、
前記候補セットにおける前記セクタの各々のパイロットエネルギーに従って、前記候補セットにおけるＮ個の最も強いセクタを選択し、
前記１組のセクタに前記Ｎ個の選択されたセクタのうちの少なくとも１つを追加する
ようにさらに構成される、請求項２２に記載のコンピュータプログラム。
【請求項２６】
コンピュータに、前記候補セットから第１のセクタが削除されることに応答して、前記１組のセクタから前記第１のセクタを削除させるための命令をさらに備える、請求項２２に記載のコンピュータプログラム。
【請求項２７】
コンピュータに、
結合された１組のセクタの各々の信号対干渉雑音比に従って、前記アクセス端末のための前記アクティブセットおよび前記候補セットにおける前記セクタを備える前記結合された１組のセクタをランク付けさせ、
前記ランク付けに従って前記１組のセクタを再生させる
ための命令をさらに備える、請求項２２に記載のコンピュータプログラム。
【請求項２８】
前記１組のセクタが、前記アクセス端末のための前記アクティブセットに含まれるすべてよりも少ないセクタを備える、請求項２２に記載のコンピュータプログラム。
【請求項２９】
請求項１の方法は、さらに下記を具備する：
ネットワークから許可を受けることなく前記１組のセクタにおける各セクタに前記受信機の前記少なくとも１つのフィンガーを自律的に割り当てること。
【請求項３０】
請求項８に記載のアクセス端末は、さらに下記を具備する：
ネットワークから許可を得ることなしに前記１組のセクタにおける各セクタに前記受信機の前記少なくとも１つのフィンガーを自律的に割り当てるための手段。
【請求項３１】
請求項１５に記載のアクセス端末、ここにおいて前記処理回路はさらに下記のように構成される：ネットワークから許可を得ることなしに前記１組のセクタにおける各セクタに前記受信機の前記少なくとも１つのフィンガーを自律的に割り当てる。
【請求項３２】
請求項２２に記載のコンピュータプログラムは、さらに下記のことを前記アクセス端末にさせるための命令を具備する：ネットワークから許可を得ることなしに前記１組のセクタにおける各セクタに前記受信機の前記少なくとも１つのフィンガーを自律的に割り当てること。
【発明の詳細な説明】
【技術分野】
【０００１】
関連出願の相互参照
本出願は、以下に完全に記載されるかのように、およびすべての適用可能な目的のためにその内容全体が参照により本明細書に組み込まれる、２０１１年１０月４日に米国特許商標局に出願された米国仮特許出願第６１／５４３，２９３号の優先権および利益を主張する。
【０００２】
本発明の実施形態は、一般にワイヤレス通信に関し、より詳細には、ワイヤレス通信システムにおいて使用するための受信機に関する。
【背景技術】
【０００３】
ワイヤレス通信システムは、ボイス、ビデオ、パケットデータ、メッセージング、ブロードキャストなど、様々なタイプの通信コンテンツを提供するために広く展開されている。これらのシステムは、ワイヤレス通信を容易にするように適応された様々なタイプのアクセス端末によってアクセスされ得、複数のアクセス端末は、利用可能なシステムリソース（たとえば、時間、周波数、電力など）を共有する。
【０００４】
多数の送信デバイスによるワイヤレスチャネルの共有を可能にするために、多くのシステムは、符号分割多元接続（ＣＤＭＡ）を利用し、送信されたデータは、適した擬似乱数（ＰＮ）拡散コードを利用して拡散され、異なるＰＮコードが各送信機によって使用される。データを取り出すために、受信機は、相関受信機を使用して受信信号を逆拡散する。このように、異なる（理想的には直交の）ＰＮ拡散コードによって拡散される望ましくない干渉信号は、相関が低く、相関受信機によって破棄され得る。
【０００５】
従来の整合フィルタＣＤＭＡ受信機は本質的に干渉制限されているので、ＣＤＭＡ受信機がそのような多元接続干渉を除去するために、たとえば干渉除去（ＩＣ）受信機など、様々なマルチユーザ検出技法が開発されている。ＩＣ受信機は、一般に、多元接続干渉の推定量を作成し、その推定量を受信信号から減算する。
【０００６】
モバイルブロードバンドアクセスに対する需要が高まり続けるにつれて、モバイルブロードバンドアクセスに対する増大する需要を満たすためだけでなく、モバイル通信のユーザエクスペリエンスを進化および向上させるためにも、研究および開発が技術を進化させ続けている。
【発明の概要】
【０００７】
以下で、そのような態様を基本的に理解するために、本開示の１つまたは複数の態様の簡略化された概要を提示する。この概要は、本開示のすべての企図された特徴の包括的な概要ではなく、本開示のすべての態様の主要または重要な要素を識別するものでも、本開示のいずれかまたはすべての態様の範囲を定めるものでもない。その唯一の目的は、後で提示されるより詳細な説明への導入として、本開示の１つまたは複数の態様のいくつかの概念を簡略化された形で提示することである。
【０００８】
本開示の１つまたは複数の態様は、１組のセクタを生成し、管理することを提供し、そこから受信された信号は、干渉除去回路が使用するための干渉推定値を生成するために利用される。１組のセクタは、一般に、アクセス端末のためのアクティブセットおよび候補セットにおけるセクタの結合された組のサブセットを含み、したがって、アクセス端末における受信機のフィンガーが干渉除去のために使用されるセクタの組における各セクタに割り当てられる。
【０００９】
たとえば、本開示の一態様は、アクセス端末において干渉を除去する方法を提供し、方法は、１組のセクタを生成することであり、１組のセクタが、アクセス端末のためのアクティブセットに含まれない少なくとも１つのセクタを備える、生成することと、１組のセクタにおける各セクタにアクセス端末における受信機の少なくとも１つのフィンガーを割り当てることと、１組のセクタに対応する干渉推定値を生成することと、生成された干渉推定値に従って１組のセクタからの干渉を除去することとを含む。
【００１０】
本開示の別の態様は、ワイヤレス通信のために構成されたアクセス端末を提供し、アクセス端末は、１組のセクタを生成するための手段であり、１組のセクタが、アクセス端末のためのアクティブセットに含まれない少なくとも１つのセクタを含む、手段と、１組のセクタにおける各セクタにアクセス端末における受信機の少なくとも１つのフィンガーを割り当てるための手段と、１組のセクタに対応する干渉推定値を生成するための手段と、生成された干渉推定値に従って１組のセクタからの干渉を除去するための手段とを含む。
【００１１】
本開示の別の態様は、ワイヤレス通信のために構成されたアクセス端末を提供し、アクセス端末は、処理回路と、処理回路に結合されたメモリと、処理回路に結合された通信インターフェースであり、干渉除去エンジンを含む通信インターフェースとを含む。ここで、処理回路は、１組のセクタを生成することであり、１組のセクタが、アクセス端末のためのアクティブセットに含まれない少なくとも１つのセクタを備える、生成することと、１組のセクタにおける各セクタに通信インターフェースの受信機の少なくとも１つのフィンガーを割り当ることと、１組のセクタに対応する干渉推定値を生成することと、生成された干渉推定値に従って１組のセクタからの干渉を除去することとを行うように構成されている。
【００１２】
本開示の別の態様は、コンピュータプログラム製品を提供し、ワイヤレス通信のために構成されたアクセス端末で動作可能なコンピュータ可読記憶媒体を含み、コンピュータ可読記憶媒体が、コンピュータに、１組のセクタを生成することであり、１組のセクタが、アクセス端末のためのアクティブセットに含まれない少なくとも１つのセクタを備える、生成することと、１組のセクタにおける各セクタに通信インターフェースの受信機の少なくとも１つのフィンガーを割り当ることと、１組のセクタに対応する干渉推定値を生成することと、生成された干渉推定値に従って１組のセクタからの干渉を除去することとを行わせるための命令を有する。
【００１３】
本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１４】
【図１】本開示の１つまたは複数の態様がアプリケーションを見つけることができるネットワーク環境の一例を示すブロック図。
【図２】アクセス端末によって実施することができるプロトコルスタックアーキテクチャの一例を示すブロック図。
【図３】少なくとも一例に従ってアクセス端末の選択構成要素を示すブロック図。
【図４】一例によるＥＶ−ＤＯネットワークにおける順方向リンクチャネル構造を概略的に示すタイミング図。
【図５】本発明のいくつかの実施形態によるパイロットの間のみ生成される干渉統計値に加えてまたはその代替として、トラフィックセグメントの間、等化器が干渉統計値を生成することができることを示す図。
【図６】本発明のいくつかの実施形態によるアクティブセット管理アルゴリズムの一例を概略的に示す状態図。
【図７】本発明のいくつかの実施形態による干渉除去推定値の基礎となる１組のセクタを生成する方法を示すフローチャート。
【図８】本発明のいくつかの実施形態による干渉除去推定値が基づく１組のセクタを維持する方法を示すフローチャート。
【発明を実施するための形態】
【００１５】
添付の図面に関して以下に示す説明は、様々な構成を説明するものであり、本明細書で説明する概念および特徴が実施され得る唯一の構成を表すものではない。以下の説明は、様々な概念の完全な理解を与えるための具体的な詳細を含む。ただし、これらの概念はこれらの具体的な詳細なしに実施され得ることが当業者には明らかであろう。いくつかの事例において、周知の回路、構造、技法、および構成要素は、記載されている概念および特徴を不明瞭にすることを回避するために、ブロック図の形式で示される。
【００１６】
本開示全体にわたって提示する様々な概念は、幅広い様々なワイヤレス通信システム、ネットワークアーキテクチャおよび通信規格にわたって実施され得る。議論のいくつかの態様は、ＣＤＭＡならびに３ｒｄ  Ｇｅｎｅｒａｔｉｏｎ  Ｐａｒｔｎｅｒｓｈｉｐ  Ｐｒｏｊｅｃｔ  ２（３ＧＰＰ２）１ｘプロトコルおよびシステムについて、以下で説明し、関連する用語は、以下の説明の多くに見られ得る。しかしながら、本開示の１つまたは複数の態様が使用され、１つまたは複数の他のワイヤレス通信プロトコルおよびシステムに含まれ得ることを、当業者であれば理解されよう。
【００１７】
図１は、本開示の１つまたは複数の態様がアプリケーションを見つけることができるネットワーク環境の一例を示すブロック図である。ワイヤレス通信システム１００は、一般に、１つまたは複数の基地局１０２、１つまたは複数のアクセス端末１０４、１つまたは複数の基地局コントローラ（ＢＳＣ）１０６、および（たとえば、移動交換センター／ビジターロケーションレジスタ（ＭＳＣ／ＶＬＲ）を介して）公衆交換電話網（ＰＳＴＮ）、および／または（たとえば、パケットデータ交換ノード（ＰＤＳＮ）を介して）ＩＰネットワークへのアクセスを提供するコアネットワーク１０８を含む。システム１００は、複数のキャリア（異なる周波数の波形信号）上での動作をサポートし得る。マルチキャリア送信機は、複数のキャリア上で同時に被変調信号を送信することができる。各被変調信号は、ＣＤＭＡ信号、ＴＤＭＡ信号、ＯＦＤＭＡ信号、シングルキャリア周波数分割多元接続（ＳＣ−ＦＤＭＡ）信号などであり得る。各被変調信号は、異なるキャリア上で送られ得、制御情報（たとえば、パイロット信号）、オーバーヘッド情報、データなどを搬送し得る。
【００１８】
基地局１０２は、基地局アンテナを介してアクセス端末１０４とワイヤレス通信することができる。基地局１０２は各々、一般に、ワイヤレス通信システム１００への（１つまたは複数のアクセス端末１０４のための）ワイヤレス接続性を円滑にするように適応されたデバイスとして実装され得る。基地局１０２は、当業者によって、アクセスポイント、送受信基地局（ＢＴＳ）、無線基地局、無線トランシーバ、トランシーバ機能、基本サービスセット（ＢＳＳ）、拡張サービスセット（ＥＳＳ）、ノードＢ、フェムトセル、ピコセル、および／または何らかの他の適した用語で呼ばれることもある。
【００１９】
基地局１０２は、複数のキャリアを介して基地局コントローラ１０６の制御下でアクセス端末１０４と通信するように構成される。基地局１０２の各々は、それぞれの地理的エリアに通信カバレージを与えることができる。ここでは、基地局１０２に対するカバレージエリア１１０は、セル１１０−ａ、１１０−ｂ、または１１０−ｃとして識別される。基地局１０２のためのカバレージエリア１１０は、セクタ（図示しないが、カバレージエリアの一部のみを構成する）に分割され得る。セクタに分割されたカバレージエリア１１０では、１つのカバレージエリア１１０内の複数のセクタはアンテナのグループによって形成され得るし、各アンテナはセルの一部分における１つまたは複数のアクセス端末１０４との通信を担当する。
【００２０】
１つまたは複数のアクセス端末１０４は、カバレージエリア１１０の全体にわたって分散することができ、それぞれの基地局１０２に関連付けられた１つまたは複数のセクタとワイヤレス通信することができる。アクセス端末１０４は、一般に、ワイヤレス信号を介して１つまたは複数の他のデバイスと通信する１つまたは複数のデバイスを含むことができる。そのようなアクセス端末１０４は、当業者によって、ユーザ機器（ＵＥ）、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、モバイル端末、ワイヤレス端末、リモート端末、ハンドセット、端末、ユーザエージェント、モバイルクライアント、クライアント、または何らかの他の好適な用語で呼ばれることもある。アクセス端末１０４は、移動端末および／または少なくとも実質的に固定された端末を含むことができる。アクセス端末１０４の例には、携帯電話、ページャ、ワイヤレスモデム、携帯情報端末、個人情報マネージャ（ＰＩＭ）、パーソナルメディアプレーヤ、パームトップコンピュータ、ラップトップコンピュータ、タブレット型コンピュータ、テレビ、機器、電子リーダー、デジタルビデオテープレコーダ（ＤＶＲ）、マシンツーマシン（Ｍ２Ｍ）デバイス、および／または、少なくとも部分的に、ワイヤレスまたはセルラーネットワークを介して通信する他の通信／コンピューティングデバイスがある。
【００２１】
アクセス端末１０４は、ワイヤレス通信システム１００（たとえば、基地局１０２）の１つまたは複数のネットワークノードとアクセス端末１０４との間にデータを通信するためのプロトコルスタックアーキテクチャを使用するように適応され得る。プロトコルスタックは、一般に、転送されたデータがそれらの表現の順に各レイヤによって順次処理される、レイヤがそれらの数字の指示の順に表される通信プロトコルのための層状アーキテクチャの概念モデルを含む。視覚的に、「スタック」は、一般的に垂直に示され、レイヤは、底で最も小さい数字の指示を有する。図２は、アクセス端末１０４によって実施することができるプロトコルスタックアーキテクチャの一例を示すブロック図である。図１および図２を参照すると、アクセス端末１０４のためのプロトコルスタックアーキテクチャは、一般に、３つのレイヤ、レイヤ１（Ｌ１）、レイヤ２（Ｌ２）、およびレイヤ３（Ｌ３）を含むように示される。
【００２２】
レイヤ１  ２０２は、最下位レイヤであり、様々な物理レイヤ信号処理機能を実装する。レイヤ１  ２０２は、本明細書では物理レイヤ２０２とも呼ばれる。物理レイヤ２０２は、アクセス端末１０４と基地局１０２との間の無線信号の送信および受信を提供する。
【００２３】
データリンクレイヤは、レイヤ２（または「Ｌ２レイヤ」）２０４と呼ばれ、物理レイヤ２０２より上にあり、レイヤ３によって生成されるシグナリングメッセージの配信を担当する。Ｌ２レイヤ２０４は、物理レイヤ２０２によって提供されるサービスを利用する。Ｌ２レイヤ２０４は、媒体アクセス制御（ＭＡＣ）サブレイヤ２０６と、リンクアクセス制御（ＬＡＣ）サブレイヤ２０８との２つのサブレイヤを含み得る。
【００２４】
ＭＡＣサブレイヤ２０６は、Ｌ２レイヤ２０４の下位のサブレイヤである。ＭＡＣサブレイヤ２０６は、媒体アクセスプロトコルを実装し、物理レイヤ２０２によって提供されるサービスを使用して上位レイヤのプロトコルデータユニットのトランスポートを担当する。ＭＡＣサブレイヤ２０６は、上位レイヤから共有されるエアインターフェースへのデータのアクセスを管理することができる。
【００２５】
ＬＡＣサブレイヤ２０８は、Ｌ２レイヤ２０４の上位のサブレイヤである。ＬＡＣサブレイヤ２０８は、レイヤ３で生成されるシグナリングメッセージの正しいトランスポートおよび配信を提供するデータリンクプロトコルを実装する。ＬＡＣサブレイヤは、下位レイヤ（たとえば、レイヤ１およびＭＡＣサブレイヤ）によって提供されるサービスを利用する。
【００２６】
上位レイヤまたはＬ３レイヤとも呼ばれ得るレイヤ３  ２１０は、基地局１０２とアクセス端末１０４との間の通信プロトコルのセマンティックおよびタイミングに従ってシグナリングメッセージを開始し、終了する。Ｌ３レイヤ２１０は、Ｌ２レイヤによって提供されるサービスを利用する。情報（データと音声の両方）メッセージもＬ３レイヤ２１０を通過する。
【００２７】
図３は、本開示の少なくとも一例に従ってアクセス端末１０４の選択構成要素を示すブロック図を示す。アクセス端末１０４は、通信インターフェース３０２と、記憶媒体３０４と、ユーザインターフェース３０６と、探索器回路３２８とを含む。これらの構成要素は、処理回路３０８との電気通信に結合され、および／またはそこに配置することができる。
【００２８】
通信インターフェース３０２は、アクセス端末１０４のワイヤレス通信を可能にするように適応され得る。たとえば、通信インターフェース３０２は、ネットワークにおける１つまたは複数の通信デバイスに対して双方向に情報の通信を容易にするように適応された回路および／またはプログラミングを含むことができる。通信インターフェース３０２は、ワイヤレス通信システム内でのワイヤレス通信のための１つまたは複数のアンテナ３１０に結合され得る。
【００２９】
通信インターフェース３０２は、１つまたは複数のスタンドアロン受信機および／または送信機、ならびに１つまたは複数のトランシーバで構成することができる。図示の例では、通信インターフェース３０２は、送信機３１２および受信機３１４を含む。１つの非限定的な例として、受信機３１４は、干渉除去エンジン（ＩＣＥ）３１８を含む。さらなる例として、受信機３１４は、複数の相関受信機またはフィンガーを有するレイク受信機を含み得る。
【００３０】
すなわち、任意のＣＤＭＡシステムにおいて、多元接続を可能にするために、送信されるデータは、適したＰＮ拡散コードを利用して拡散される。データを取り出すために、受信機は、それに応じて、受信信号を逆拡散させることを必要とする。この目的で、ＣＤＭＡ受信機は、相関受信機を利用する。すなわち、所望の信号は内部で生成されたＰＮ拡散コードとのその相関に従って検出され、それは送信機で使用する同じ拡散コードであることがわかっている。このように、異なる（理想的には直交の）ＰＮ拡散コードによって拡散される望ましくない干渉信号は、相関が低く、相関受信機によって破棄され得る。
【００３１】
しかしながら、従来の整合フィルタＣＤＭＡ受信機は、本質的に干渉制限されており、したがって、受信機が適応できる限られた数の干渉信号がある。状況を改善するために、ＣＤＭＡ受信機がそのような多元接続干渉を除去するために、様々なマルチユーザ検出技法が開発されている。たとえば、様々な線形等化器および減算干渉除去（ＩＣ）受信機が、マルチユーザ検出のために設計されている。線形等化器のいくつかの例には、ゼロフォーシング（ＺＦ）または相関解除検出器、および最小平均二乗誤差（ＭＭＳＥ）検出器がある。一方、ＩＣ受信機は、一般に、多元接続干渉の推定量を作成し、その推定量を受信信号から減算する。本開示の一態様では、干渉除去エンジン（ＩＣＥ）３１８は、そのようなＩＣ受信機として機能することができる。
【００３２】
記憶媒体３０４は、プロセッサ実行可能コードまたは命令（たとえば、ソフトウェア、ファームウェア）、電子データ、データベース、または他のデジタル情報など、プログラミングを記憶するための１つまたは複数のコンピュータ可読、機械可読、および／またはプロセッサ可読デバイスを表し得る。記憶媒体３０４はまた、プログラミングを実行するときに処理回路３０８によって操作されるデータを記憶するために使用され得る。記憶媒体３０４は、携帯型または固定の記憶デバイス、光記憶デバイス、およびプログラミングを記憶する、含む、または、搬送することができる様々な他の媒体を含む汎用または専用プロセッサによってアクセスすることができる任意の使用可能な媒体でもよい。限定ではなく例として、記憶媒体３０４は、例として、磁気ストレージデバイス（たとえば、ハードディスク、フロッピー（登録商標）ディスク、磁気ストリップ）、光記憶媒体（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、および／またはプログラミングを記憶する他の媒体、ならびにそれらの任意の組合せなど、コンピュータ可読、機械可読、および／またはプロセッサ可読の記憶媒体を含み得る。
【００３３】
記憶媒体３０４は、処理回路３０６が記憶媒体３０４から情報を読み取り、記憶媒体３０４に情報を書き込むことができるように処理回路３０６に結合され得る。すなわち、少なくとも１つの記憶媒体が処理回路３０６と一体である例、および／または少なくとも１つの記憶媒体が処理回路３０６とは別個である例（たとえば、アクセス端末１０４に常駐する、アクセス端末１０４の外部にある、複数のエンティティにわたって分散される）を含めて、記憶媒体３０４が処理回路３０６によって少なくともアクセス可能であるように、記憶媒体３０４は処理回路３０６に結合することができる。
【００３４】
記憶媒体３０４によって記憶されるプログラミングは、処理回路３０６によって実行されると、処理回路３０６に、本明細書で説明する様々な機能および／またはプロセスステップのうちの１つまたは複数を実行させる。たとえば、記憶媒体３０４は、以下でさらに詳細に説明するように、処理回路３０６の１つまたは複数のハードウェアブロックでの操作を調整し、および／または受信機３１４を利用するときに一連の操作を調整するように適応されたＩＣＥセット選択操作３２０を含み得る。ＩＣＥセット選択操作３２０は、特に図７〜図８に関して以下でさらに詳細に説明するように、ＩＣＥ回路３１８によって利用される干渉除去信号が基づき得る１組のセルを選択するように適応された、図２に示されるプロトコルスタックアーキテクチャのレイヤ１またはレイヤ２で実施されるプログラミングを含み得る。
【００３５】
本開示のさらなる態様では、記憶媒体３０４は、特に図６に関して、以下でさらに詳細に説明するように、アクティブセットを管理するように適応されたプログラミングを含めて、アクティブセット管理操作３２４を含むことができる。
【００３６】
処理回路３０８は、一般に、記憶媒体３０４に記憶されるそのようなプログラミングの実行を含む処理に適応される。本明細書で使用する「プログラミング」は、限定はしないが、ソフトウェア、ファームウェア、ミドルウェア、マイクロコード、ハードウェア記述言語などの名称にかかわらず、命令、命令セット、データ、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを含むと広く解釈されたい。
【００３７】
処理回路３０８は、データを取得し、処理しおよび／または送り、データアクセスおよび記憶を制御し、コマンドを発行し、他の所望の動作を制御するように構成される。処理回路３０８は、少なくとも１つの例において適切な媒体によって与えられる所望のプログラミングを実装するように構成された回路を含み得る。たとえば、処理回路３０８は、１つまたは複数のプロセッサ、１つまたは複数のコントローラ、および／または実行可能なプログラミングを実行するように構成される他の構造として実装され得る。処理回路３０８の例は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理構成要素、個別ゲートまたはトランジスタ論理、個別ハードウェア構成要素、あるいは本明細書で説明する機能を実行するように設計されたそれらの任意の組合せを含み得る。汎用プロセッサは、マイクロプロセッサ、ならびに任意の従来のプロセッサ、コントローラ、マイクロコントローラ、または状態機械を含み得る。処理回路３０８はまた、ＤＳＰとマイクロプロセッサとの組合せなど、コンピューティング構成要素の組合せ、複数のマイクロプロセッサ、ＤＳＰコアと連携する１つまたは複数のマイクロプロセッサ、ＡＳＩＣおよびマイクロプロセッサ、あるいは任意の他の数の異なる構成として実装され得る。処理回路３０６のこれらの例は説明のためであり、本開示の範囲内の他の好適な構成も企図される。
【００３８】
本開示の１つまたは複数の態様によれば、処理回路３０６は、本明細書で説明するアクセス端末１０４のいずれかまたはすべてのための特徴、プロセス、機能、ステップ、および／またはルーチンのいずれかまたはすべてを実行するように適応され得る。本明細書で使用する、処理回路３０６に関する「適応される」という用語は、処理回路３０６が、本明細書で説明する様々な特徴に従って、特定のプロセス、機能、ステップおよび／またはルーチンを実行するように構成、採用、実装、またはプログラムされることのうちの１つまたは複数を指すことがある。
【００３９】
アクセス端末１０４の少なくとも１つの例によれば、処理回路３０６は、特に図７〜図８に関して以下でさらに詳細に説明するように、ＩＣＥ３１８によって利用される干渉除去信号が基づき得る１組のセクタを選択するように適応されたＩＣＥセット選択回路３２２を含み得る。ＩＣＥセット選択回路３２２は、記憶媒体３０４の１つまたは複数の構成要素から独立して動作し得る、またはそこに記憶されたプログラミングを利用することができる。本開示のさらなる態様では、処理回路３０６は、特に図６に関して、以下でさらに詳細に説明するように、アクティブセットを管理するように適応されたアクティブセット管理回路３２６を含むことができる。
【００４０】
次に図４を参照すると、ＥＶ−ＤＯネットワークにおける順方向リンクチャネル構造を示すためのタイミング図が図示されている。図において、トラフィックシンボル４０６と、ＭＡＣパケット４０８と、パイロット４１０とを送信するアクティブセクタ４０２が示される。さらに、ＭＡＣパケット４０８とパイロット４１０とを送信する非アクティブセクタ４０４が示される。すなわち、図示の例では、非アクティブセクタは、トラフィックシンボルを送信しないハーフスロットの間に示される。
【００４１】
いくつかの干渉除去エンジンは、本質的に、パイロットバースト４１０およびトラフィックセグメント４０６の間、それらのセクタによって同じ干渉レベルが生じると仮定して、パイロットバースト４１０の間のみの受信信号に基づいて干渉セクタのチャネルおよび干渉推定値を生成することのみがわかっている。しかしながら、干渉セクタは比較的軽負荷である、いわゆる部分的な近隣負荷シナリオの間、パイロットバーストの間のＳＩＮＲとトラフィックセグメントの間のＳＩＮＲとの間にかなりの不整合があり得る。したがって、図５に示したように、より高度な干渉除去エンジンが作成されている。そのようなエンジンは、パイロット４１０の間のみ生成されるものに加えてまたはその代替として、トラフィックセグメント４０６の間、干渉統計値を生成することができる。
【００４２】
任意の干渉除去エンジンにおいて、重要な問題は、干渉推定値が基づくセクタの組である。当然、干渉除去の効果は、最も強い干渉物の除去に大いに依存しているが、１つまたは複数の比較的強い干渉物がそうでなければ考慮されずにバックグラウンドで存在する場合、性能は、著しく低下し得る。
【００４３】
したがって、本開示の様々な態様は、干渉除去エンジンが使用するための、干渉推定値が基づくセクタの組の管理を提供する。
【００４４】
以下でさらに詳細に説明する、本開示の一態様において、部分的にベースラインとしてレガシーアクティブセット管理手順を利用することによって、干渉推定値が基づくセクタの組が決定され得る。
【００４５】
図６は、いくつかの従来のＥＶＤＯアクセス端末において利用されるレガシーアクティブセット管理アルゴリズムを示す状態図である。図において、各検出されたセクタは、セットのうちの１つに割り当てられ、状態として示される。すなわち、検出されたセクタは、アクティブセット６０２、近隣セット６０４、残存セット６０６、および候補セット６０８の４セットのうちの１つの中にあり得る。当業者は、ｃｄｍａ２０００とも呼ばれるＩＳ−８５６技術のための公開された明細書に記載されるこのセット管理アルゴリズムを認識されよう。
【００４６】
アクティブセット６０２は、アクセス端末１０４が同時に接続される１組のセクタを含み得る（たとえば、アクセス端末がソフトハンドオーバにあるとき、または複数のセルとの通信リンクを有するときなど）。一般に、ＮRUPActiveと呼ばれる最大サイズのアクティブセット６０２がある。在来のアルゴリズムでは、アクティブセット状態６０２におけるセクタのみ、アクセス端末１０４の受信機３１４におけるフィンガーが割り当てられ、したがって、それらのセクタは、次いで、アクセス端末１０４によって監視され得る。マルチパス干渉を除去するために、一般的に、アクティブセット６０２におけるセクタのうちの１つまたは複数が、そのセクタに割り当てられた複数のフィンガーを有し得、それらのフィンガーの各々はそのセクタからのエネルギーピークに対応して構成される。
【００４７】
しかしながら、以下でさらに詳細に説明するように、本開示の一態様では、干渉除去のために、受信機３１４における少なくとも１つのフィンガーは、たとえば、候補セット６０８における１つまたは複数のセクタなど、アクティブセット６０２におけるものの外部のセクタに割り当てられ得る。
【００４８】
アクセス端末がアイドル状態にあるとき、アクティブセット６０２がまだいっぱいではない場合、セクタは、候補セット６０８からアクティブセット６０２に移動することができる。アクティブセット６０２がいっぱいである場合、セクタは、そのエネルギーがアクティブセット６０２におけるセクタの最小のパイロットエネルギーを上回る何らかのしきい値量以上である場合、依然としてアクティブセット６０２に移動し得る。アクセス端末が接続状態にあるとき、セクタは、同様に、候補セット６０８からアクティブセット６０２に移動し得、追加の要求として、アクティブセット６０２への／からのすべての示唆された昇格または降格が基地局に報告され、基地局によって命令された後のみ実行される。
【００４９】
候補セット６０８は、アクティブセット６０２に追加される候補である１組のセクタを含み得る。一般に、そのパイロットのエネルギーがパラメータＰｉｌｏｔＡｄｄによって指定される値を超えるとき、アクティブセット６０２にないセクタが候補セット６０８に追加される。アクティブセット６０２にあるセクタについては、セクタがアクティブセット６０２から削除され、しかし、そのパイロットドロップタイマー（ＰｉｌｏｔＤｒｏｐＴｉｍｅｒと呼ばれる）がまだ期限切れになっていないとき、それらは候補セット６０８に移動し得る。ここで、ＰｉｌｏｔＤｒｏｐＴｉｍｅｒは、セクタのためのパイロット強度がＰｉｌｏｔＤｒｏｐしきい値を下回ってからどのくらいの時間かを決定するために利用されるタイマーである。すなわち、パイロット強度がＰｉｌｏｔＤｒｏｐしきい値を下回るときはいつも、ＰｉｌｏｔＤｒｏｐＴｉｍｅｒの値が開始され、パイロット強度がＰｉｌｏｔＤｒｏｐしきい値を上回るとき、リセットされる。一般に、ＮRUPCandidateと呼ばれる最大サイズの候補セット６０８がある。
【００５０】
そのセクタのためのＰｉｌｏｔＤｒｏｐＴｉｍｅｒが期限切れになったとき、そのセクタがアクティブセット６０２に追加されたとき、またはセクタが候補セット６０８に追加され、したがって候補セットのサイズがＮRUPCandidateを超えたとき、セクタは、候補セット６０８から削除され得る。この場合、アクセス端末は、候補セット６０８において最も弱いパイロットを有するセクタを削除する。
【００５１】
近隣セット６０４は、サービングセクタに隣接する１組のセクタを含むことができる。一般に、ＮRUPNeighborと呼ばれる最小サイズの近隣セット６０４がある。近隣セット６０４におけるセクタは、エイジと呼ばれるカウンタによって特徴づけられる。セクタがアクティブセット６０２または候補セット６０８から削除される、または近隣セット６０４に追加されるときに、近傍セット６０４におけるセクタのエイジは、ゼロに初期化される。近隣セット６０４におけるパイロットの最大のエイジは、値ＮｅｉｇｈｂｏｒＭａｘＡｇｅである。
【００５２】
ここで、セクタがアクティブセット６０２または候補セット６０８のいずれかに追加される場合、それは近隣セット６０４から削除される。そのセクタのパイロットエネルギーがＰｉｌｏｔＡｄｄの値よりも大きい場合、または、エイジがＮｅｉｇｈｂｏｒＭａｘＡｇｅよりも大きい場合など、セクタは様々な理由で近隣セット６０４から削除される。
【００５３】
残存セット６０６は、任意の他のセットの一部ではない残りのセクタを含み、それは依然としてアクセス端末に干渉を提示し得る。特に、セクタは、それが近隣セット６０４から削除され、しかし任意の他のセットに追加されない場合、残存セット６０６に追加される。
【００５４】
上記で説明したように、図３に示したように、干渉除去エンジンＩＣＥ３１８の使用のために、干渉推定値が基づくセクタの組の生成は、そのようなアクティブセット管理アルゴリズムに少なくとも部分的に依存し得る。干渉推定値の基礎となる１組のセクタを生成するための１つの簡単な方法は、単にアクティブセット６０２におけるそれらのセクタを使用することである。すなわち、上記で説明したように、干渉除去推定値は、トラフィックセグメントの間に生成される干渉統計値に基づく。
【００５５】
一般に、干渉推定値を生成するための１組のセクタを生成する任意のセット管理アルゴリズムは、強い干渉を生成しているセットにおけるセクタの数を最大にすることを試みるように適応され得る。
【００５６】
したがって、本開示のいくつかの態様は、ＩＣＥ３１８によって使用される干渉推定値が基づく１組のセクタを含めて、干渉除去エンジンセット（ＩＣＥセット）を提供する。いくつかの態様では、たとえば、シングルキャリアシステムでは、単一のＩＣＥセットは、そのキャリア周波数において検出される干渉セクタに対応して生成され得る。他の態様では、たとえば、マルチキャリアシステムでは、２つ以上のＩＣＥセットは、各々それらのそれぞれのキャリア周波数において検出される干渉セクタに対応して生成され得る。
【００５７】
シングルキャリアＩＣＥセット管理
本開示の一態様では、アクセス端末１０４は、ＩＣＥセットのその決定のためのベースとして上述し、図６に示したアクティブセット管理アルゴリズムを利用することができる。たとえば、図７は、干渉推定値が基づく１組のセクタを含むＩＣＥセットを決定するための例示的なプロセスを示すフローチャートである。いくつかの例では、プロセス７００は、たとえば、メモリ３０４に記憶されたＩＣＥセット選択回路３２２および／またはＩＣＥセット選択操作３２０の一方または両方によって、アクセス端末１０４によって実施され得る。
【００５８】
プロセス７００は、図６に示されるアクティブセット管理アルゴリズムが、プロセス７００が開始するときに動作しており、したがって、少なくともアクティブセット６０２および候補セット６０８が生成され、既知であると仮定して示される。
【００５９】
本開示の様々な態様では、ＩＣＥセットは、アクティブセット６０２と候補セット６０８との組合せにおけるセクタのサブセットであり得る。たとえば、ＩＣＥセットは、アクティブセット６０２におけるすべてのセクタ、および候補セット６０８からの０以上のセクタを含み得る。別の例では、ＩＣＥセットは、アクティブセット６０２および／または候補セット６０８におけるすべてよりも少ないセクタを含み得る、アクティブセット６０２と候補セット６０８との組合せの任意のサブセットを含み得る。さらに別の例では、ＩＣＥセットは、それらのセクタから干渉の除去に適していると決定される、図６に示されるアクティブセット管理アルゴリズムによって管理されるセクタの任意の適切な組を含み得る。
【００６０】
例示の目的でここに記載されている１つの非限定的な例として、図７を参照すると、プロセス７００が開始するとき、アクティブセット６０２におけるすべてのセクタがＩＣＥセットに含まれるとみなされる。ステップ７０２で、アクセス端末１０４は、探索器回路３２８によってセクタごとに報告されるパイロットエネルギーに従って候補セット６０８内のセクタをランク付けすることができる。候補セット６０８内のセクタがひとたびランク付けされると、アクセス端末１０４は、候補セット６０８におけるＮ個の最も強いセクタを選択することができる。一例では、Ｎは以下の式に従って実行され得る。
【００６１】
Ｎ＝ｍａｘ（ＩＳＥＴmax−ＡＳＥＴ，０）
ここで、ＩＳＥＴmaxは、ＩＣＥセット６１０の最大の理論的なサイズである。一例では、ＩＳＥＴmaxは、受信機３１４におけるフィンガーの総数に等しくてもよい。しかしながら、上述のように、アクティブセット６０２におけるセクタのいくつかは、マルチパス受信のためにそれらに割り当てられた複数のフィンガーを有することができ、この場合、ＩＳＥＴmaxは、受信機３１４におけるフィンガーの総数未満でもよい。さらに、ＡＳＥＴは、アクティブセット６０２の現在のサイズである。したがって、上記の式によれば、Ｎは、常にゼロ以上の値をとることになる。
【００６２】
ステップ７０６で、アクセス端末１０４は、ステップ７０４において選択されたＮ個のセクタのうちのいずれかがＩＣＥセットにすでに含まれているかどうかを決定することができる。Ｎ個の選択されたセクタのうちのいずれもＩＣＥセットにまだない場合、プロセスはステップ７０８に進むことができ、それらの選択されたセクタは、ＩＣＥセットに追加され得る。そうでない場合、プロセスは、ステップ７１０に進むことができ、アクセス端末１０４は、Ｎ個の選択されたセクタの中にはない候補セット６０８におけるセクタのうちの任意のものがＩＣＥセットに含まれるかどうかを決定することができる。選択されないセクタのうちの任意のものがＩＣＥセットにある場合、プロセスはステップ７１２に進むことができ、それらの選択されないセクタは、ＩＣＥセットから削除され得る。
【００６３】
したがって、アクティブセット６０２の組合せ、および潜在的に（すなわち、Ｎ＞０である場合）、候補セット６０８からの１つまたは複数の選択されたセクタは、ＩＣセットを形成し得る。
【００６４】
本開示のさらなる態様では、アクセス端末１０４は、アクティブセット６０２の一部ではなく、しかし、ＩＣＥセットの中に含めるために選択される、候補セット６０８から選択されたセクタを昇格させることができ、したがって、受信機３１４のフィンガーが昇格されたセクタの各々に割り当てられる。すなわち、従来のアクセス端末では、一般に、追跡および探索器タスクのために、アクティブセット６０２におけるセクタのみに受信機３１４のフィンガーが割り当てられる。しかしながら、候補セット６０８から昇格されたセクタを追跡し、干渉推定値の生成のためにそれらのセクタのパイロット測定を行うために、本開示の一態様に従って構成されたアクセス端末１０４は、ステップ７１４で、ネットワークからそうするための許可を必ずしも受けることなく、それぞれの昇格されたセクタを追跡するために、受信機３１４のフィンガーを自律的に割り当てることができる。このようにして、フィンガーがアクティブセット６０２における各セクタにも割り当てられるので、パイロット測定値がＩＣＥセットにおけるすべてのセルから作られ得る。したがって、ステップ７１６で、アクセス端末１０４は、アクティブセット６０２および候補セット６０８から選択されたセクタを含めて、ＩＣＥセットにおけるすべてのセクタに基づいて干渉推定値を生成することができる。
【００６５】
ＩＣＥセットがひとたび確立されると、たとえば、図７に関して上記で説明したように、アクセス端末１０４がサービスエリアの周りを移動するにつれて、および／またはチャネル状態が時間とともに変わるにつれて、干渉推定値が最も強い干渉物に基づき続けることを確実にするために、ＩＣＥセットの保守が実行され得る。
【００６６】
図８は、本開示のいくつかの態様による、ＩＣＥセットを保守するための例示的なプロセスを示すフローチャートである。ここでは、プロセス８００は、たとえば、ＩＣＥセット選択回路３２２および／またはメモリ３０４内のＩＣＥセット選択操作３２０によるなど、アクセス端末１０４によって実施され得る。プロセス８００で示されるステップは、本質的に例にすぎず、追加および／または異なるステップは、ＩＣＥセットを保守するための様々な例において利用され得る。
【００６７】
ステップ８０２で、アクセス端末１０４は、候補セット６０８における昇格した任意のセクタ（すなわち、候補セット６０８とＩＣＥセットの両方におけるセクタ）が、候補セット６０８から削除されており、しかし、アクティブセット６０２に追加されていないかどうかを決定する。図６に関して上記で説明したように、セクタは、様々な理由で、候補セット６０８から削除することができ、たとえば、パイロットドロップタイマーが期限切れになったとき、または候補セットにおけるセクタの数がそのセットにおける許容されたセクタの最大数ＮRUPCandidateを超えたとき、近隣セット６０４に移動される。ここで、昇格したセクタが、アクティブセット６０２に追加されることなく、候補セット６０８から削除される場合、ステップ８０４で、アクセス端末は、ＩＣＥセットからそのセクタを削除することができる。そうでない場合、プロセスは、ステップ８０６に進むことができ、アクセス端末１０４は、たとえば、セクタが候補セット６０８からアクティブセット６０２に昇格したか、セクタがアクティブセット６０２から候補セット６０８に降格したか、またはより一般的には、セクタがアクティブセット６０２または候補セット６０８のいずれかに追加されたまたはそこから削除されたかなど、ＩＣＥセットの構造が何らかの方法で変わったかどうかを決定することができる。はいの場合、プロセスは、ステップ８０８に進むことができ、アクセス端末１０４は、ＩＣＥセットにおけるセクタのランク付けを決定することができる。たとえば、ランク付けは、割り当てられたフィンガーによって測定され、アクセス端末１０４におけるファームウェアによって報告されるように、ＩＣＥセットにおける各セクタから受信されたパイロット送信のフィルタ処理されたＳＩＮＲに基づき得る。いくつかの例では、セクタが新しく追加され、したがって、フィルタ処理されたＳＩＮＲがまだ使用可能でない場合、そのセクタのパイロットのためのＳＩＮＲはゼロであるとみなされ得、したがって、そのセクタがＩＣＥセットにおいて最後にランク付けされる。ステップ８０８において実行されるランク付けに基づいて、アクセス端末１０４は、ランク付けに従って、ＩＣＥセットにおけるセクタのリストを再生することができる。ここで、アクティブセット６０２における１つまたは複数のセクタがＩＣＥセットから除外され得ることが可能であり、候補セット６０８における１つまたは複数のセクタがＩＣＥセットに含まれ得ることが可能である。
【００６８】
ランク付けイベント（たとえば、ステップ８０８に関して上記で説明したように、ＩＣＥセットにおけるセクタのランク付けに対応する）が、ある時間期間には起こらなかった場合、ＩＣＥセットに含まれるべきセクタのさらなるランク付け、再計算が必要に応じて実行され得る。たとえば、ステップ８１０で、アクセス端末１０４は、所定の数のスロット（たとえば、５１２のスロット）が通過したかどうかを決定することができ、はいの場合、ステップ８１２で、アクセス端末１０４は、その所定の数のスロットの間、ランク付けイベントが起こらなかった場合、セクタを再度ランク付けすることができる。
【００６９】
マルチキャリアＩＣＥセット管理
多くのワイヤレス通信システムでは、複数のキャリア周波数は、各々アクセス端末によって使用することが可能であり得る。すなわち、アクセス端末１０４は、２つ以上のキャリア周波数において順方向リンク送信を同時に受信するように構成され得る。そのようなマルチキャリアネットワークでは、複数の基地局の各々は、キャリア周波数の各々において順方向リンク信号を送信している可能性がある。したがって、アクセス端末１０４は、キャリア周波数ごとに異なるアクティブセットおよび候補セットを有することができる。すなわち、図６に示されるアクティブセット管理アルゴリズム６００は、キャリア周波数ごとに並行して実行され得る。
【００７０】
ここで、１つのキャリア周波数における送信は、一般に、他のキャリア周波数における送信に関する干渉問題を提示しないが、一般的には、各キャリア周波数がその同じキャリア周波数における他の送信から干渉を受け得る。
【００７１】
したがって、本開示のさらなる態様では、干渉除去エンジン３１８は、複数のキャリア周波数の各々のための異なる干渉推定値を生成するように構成され得る。すなわち、上述し、図７および図８で示したプロセスは、キャリア周波数の各々について並行して実行され得、各キャリア周波数に対応するＩＣＥセットを生成する。
【００７２】
上記で説明した態様、構成、および実施形態は、具体的な詳細、および特殊性で説明されているが、図１、図２、および／または図３に示される構成要素、ステップ、特徴、および／または機能のうちの１つまたは複数は、再編成され、および／または単一の構成要素、ステップ、特徴、または機能に結合され得る、またはいくつかの構成要素、ステップ、または機能に組み込むことができる。また、本発明から逸脱することなく追加の要素、構成要素、ステップ、および／または機能を追加することができ、または利用されなくてもよい。図１、図２および／または図３に示した装置、デバイス、および／または構成要素は、図６、図７、および／または図８で説明した方法、特徴、パラメータ、またはステップのうちの１つまたは複数を実行または使用するように構成され得る。本明細書で説明した新規のアルゴリズムはまた、効率的にソフトウェアで実装されおよび／またはハードウェアに組み込まれ得る。
【００７３】
また、少なくともいくつかの実装形態について、フローチャート、流れ図、構造図、またはブロック図として示されたプロセスとして説明したことに留意されたい。フローチャートは動作を逐次プロセスとして説明することがあるが、動作の多くは並行してまたは同時に実行できる。さらに、動作の順序を並び替えることができる。プロセスは、その動作が完了すると終了する。プロセスは、メソッド、関数、プロシージャ、サブルーチン、サブプログラムなどに対応し得る。プロセスが関数に対応する場合、その終了は呼出し側関数またはメイン関数への関数の復帰に対応する。したがって、本明細書で説明する様々な方法は、機械可読媒体、コンピュータ可読媒体、および／またはプロセッサ可読記憶媒体に記憶され、１つまたは複数のプロセッサ、機械および／またはデバイスによって実行され得るプログラミング（たとえば命令および／またはデータ）によって部分的にまたは完全に実装され得る。
【００７４】
さらに、本明細書で開示する実施形態に関連して説明した様々な例示的な論理ブロック、モジュール、回路、およびアルゴリズムステップは、ハードウェア、ソフトウェア、ファームウェア、ミドルウェア、マイクロコード、またはそれらの任意の組合せとして実装できることを、当業者は諒解されよう。この互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。
【００７５】
様々な特徴は、本明細書で説明され、添付の図面において示される例に関連する様々な特徴は、本開示の範囲から逸脱することなく、異なる例および実装において実施することができる。したがって、いくつかの特定の構造および構成が記載され、添付の図面において示されているが、説明した実施形態に対する様々な他の追加、変更、削除は、当業者にとって明らかであるので、そのような実施形態は、単に例にすぎず、本開示の範囲の制限ではない。したがって、本開示の範囲は、以下の特許請求の範囲の文字通りの言葉および法的均等物によってのみ決定される。
以下に、本願出願の当初の特許請求の範囲に記載された発明を付記する。
[Ｃ１]
アクセス端末において干渉を除去する方法であって、
１組のセクタを生成することであり、前記１組のセクタが、前記アクセス端末のためのアクティブセットに含まれない少なくとも１つのセクタを備える、生成することと、
前記１組のセクタにおける各セクタに前記アクセス端末における受信機の少なくとも１つのフィンガーを割り当てることと、
前記１組のセクタに対応する干渉推定値を生成することと、
前記生成された干渉推定値に従って前記１組のセクタからの干渉を除去することと
を備える方法。
[Ｃ２]
前記アクティブセットに含まれない前記少なくとも１つのセクタが、候補セットに含まれるセクタを備え、前記候補セットが、前記アクセス端末のための前記アクティブセットに追加される候補である１組のセクタを備える、Ｃ１に記載の方法。
[Ｃ３]
前記少なくとも１つのセクタのパイロットエネルギーに従って前記１組のセクタに含まれるべき前記少なくとも１つのセクタを選択することをさらに備える、Ｃ２に記載の方法。
[Ｃ４]
前記候補セットに含まれる各セクタのパイロットエネルギーに従って前記アクセス端末のための候補セットに含まれるセクタをランク付けすることと、
前記ランク付けに従って前記１組のセクタに含まれるべき前記少なくとも１つのセクタを選択することと
をさらに備える、Ｃ２に記載の方法。
[Ｃ５]
前記１組のセクタを生成することが、
前記候補セットにおける前記セクタの各々のパイロットエネルギーに従って、前記候補セットにおけるＮ個の最も強いセクタを選択することと、
前記１組のセクタに前記Ｎ個の選択されたセクタのうちの少なくとも１つを追加することと
を備える、Ｃ２に記載の方法。
[Ｃ６]
前記候補セットから第１のセクタが削除されることに応答して、前記１組のセクタから前記第１のセクタを削除することをさらに含む、Ｃ２に記載の方法。
[Ｃ７]
結合された１組のセクタの各々の信号対干渉雑音比に従って、前記アクセス端末のための前記アクティブセットおよび前記候補セットにおける前記セクタを備える前記結合された１組のセクタをランク付けすることと、
前記ランク付けに従って前記１組のセクタを再生することと
をさらに備える、Ｃ２に記載の方法。
[Ｃ８]
前記１組のセクタが、前記アクセス端末のための前記アクティブセットに含まれるすべてよりも少ないセクタを備える、Ｃ１に記載の方法。
[Ｃ９]
ワイヤレス通信のために構成されたアクセス端末であって、
１組のセクタを生成するための手段であり、前記１組のセクタが、前記アクセス端末のためのアクティブセットに含まれない少なくとも１つのセクタを備える、手段と、
前記１組のセクタにおける各セクタに前記アクセス端末における受信機の少なくとも１つのフィンガーを割り当てるための手段と、
前記１組のセクタに対応する干渉推定値を生成するための手段と、
前記生成された干渉推定値に従って前記１組のセクタからの干渉を除去するための手段と
を備えるアクセス端末。
[Ｃ１０]
前記アクティブセットに含まれない前記少なくとも１つのセクタが、候補セットに含まれるセクタを備え、
前記候補セットが、前記アクセス端末のための前記アクティブセットに追加される候補である１組のセクタを備える
Ｃ９に記載のアクセス端末。
[Ｃ１１]
前記少なくとも１つのセクタのパイロットエネルギーに従って前記１組のセクタに含まれるべき前記少なくとも１つのセクタを選択するための手段
をさらに備える、Ｃ１０に記載のアクセス端末。
[Ｃ１２]
前記候補セットに含まれる各セクタのパイロットエネルギーに従って前記アクセス端末のための候補セットに含まれるセクタをランク付けするための手段と、
前記ランク付けに従って前記１組のセクタに含まれるべき前記少なくとも１つのセクタを選択するための手段と
をさらに備える、Ｃ１０に記載のアクセス端末。
[Ｃ１３]
前記１組のセクタを生成するための前記手段が、
前記候補セットにおける前記セクタの各々のパイロットエネルギーに従って、前記候補セットにおけるＮ個の最も強いセクタを選択するための手段と、
前記１組のセクタに前記Ｎ個の選択されたセクタのうちの少なくとも１つを追加するための手段と
を備える、Ｃ１０に記載のアクセス端末。
[Ｃ１４]
前記候補セットから前記第１のセクタが削除されることに応答して、前記１組のセクタから第１のセクタを削除するための手段
をさらに備えるＣ１０に記載のアクセス端末。
[Ｃ１５]
結合された１組のセクタの各々の信号対干渉雑音比に従って、前記アクセス端末のための前記アクティブセットおよび前記候補セットにおける前記セクタを備える前記結合された１組のセクタをランク付けするための手段と、
前記ランク付けに従って前記１組のセクタを再生するための手段と
をさらに備える、Ｃ１０に記載のアクセス端末。
[Ｃ１６]
前記１組のセクタが、前記アクセス端末のための前記アクティブセットに含まれるすべてよりも少ないセクタを備える、Ｃ９に記載のアクセス端末。
[Ｃ１７]
ワイヤレス通信のために構成されたアクセス端末であって、
処理回路と、
前記処理回路に結合されたメモリと、
前記処理回路に結合された通信インターフェースであり、干渉除去エンジンを備える通信インターフェースと
を備え、前記処理回路が、
１組のセクタを生成することであり、前記１組のセクタが、前記アクセス端末のためのアクティブセットに含まれない少なくとも１つのセクタを備える、生成することと、
前記１組のセクタにおける各セクタに前記通信インターフェースの受信機の少なくとも１つのフィンガーを割り当てることと、
前記１組のセクタに対応する干渉推定値を生成することと、
前記生成された干渉推定値に従って前記１組のセクタからの干渉を除去することと
を行うように構成される
アクセス端末。
[Ｃ１８]
前記アクティブセットに含まれない前記少なくとも１つのセクタが、候補セットに含まれるセクタを備え、前記候補セットが、前記アクセス端末のための前記アクティブセットに追加される候補である１組のセクタを備える、Ｃ１７に記載のアクセス端末。
[Ｃ１９]
前記処理回路が、前記少なくとも１つのセクタのパイロットエネルギーに従って前記１組のセクタに含まれるべき前記少なくとも１つのセクタを選択するようにさらに構成される、Ｃ１８に記載のアクセス端末。
[Ｃ２０]
前記処理回路が、
前記候補セットに含まれる各セクタのパイロットエネルギーに従って前記アクセス端末のための候補セットに含まれるセクタをランク付けし、
前記ランク付けに従って前記１組のセクタに含まれるべき前記少なくとも１つのセクタを選択する
ようにさらに構成される、Ｃ１８に記載のアクセス端末。
[Ｃ２１]
前記１組のセクタを生成するように構成された前記処理回路が、
前記候補セットにおける前記セクタの各々のパイロットエネルギーに従って、前記候補セットにおけるＮ個の最も強いセクタを選択し、
前記１組のセクタに前記Ｎ個の選択されたセクタのうちの少なくとも１つを追加する
ようにさらに構成される、Ｃ１８に記載のアクセス端末。
[Ｃ２２]
前記処理回路が、前記候補セットから前記第１のセクタが削除されることに応答して、前記１組のセクタから第１のセクタを削除するようにさらに構成される、Ｃ１８に記載のアクセス端末。
[Ｃ２３]
前記処理回路が、
結合された１組のセクタの各々の信号対干渉雑音比に従って、前記アクセス端末のための前記アクティブセットおよび前記候補セットにおける前記セクタを備える前記結合された１組のセクタをランク付けし、
前記ランク付けに従って前記１組のセクタを再生する
ようにさらに構成される、Ｃ１８に記載のアクセス端末。
[Ｃ２４]
前記１組のセクタが、前記アクセス端末のための前記アクティブセットに含まれるすべてよりも少ないセクタを備える、Ｃ１７に記載のアクセス端末。
[Ｃ２５]
ワイヤレス通信のために構成されたアクセス端末で動作可能なコンピュータ可読記憶媒体を備えるコンピュータプログラム製品であって、前記コンピュータ可読記憶媒体が、コンピュータに、
１組のセクタを生成することであり、前記１組のセクタが、前記アクセス端末のためのアクティブセットに含まれない少なくとも１つのセクタを備える、生成することと、
前記１組のセクタにおける各セクタに通信インターフェースの受信機の少なくとも１つのフィンガーを割り当てることと、
前記１組のセクタに対応する干渉推定値を生成することと、
前記生成された干渉推定値に従って前記１組のセクタからの干渉を除去することと
を行わせるための命令を備える
コンピュータプログラム製品。
[Ｃ２６]
前記アクティブセットに含まれない前記少なくとも１つのセクタが、候補セットに含まれるセクタを備え、前記候補セットが、前記アクセス端末のための前記アクティブセットに追加される候補である１組のセクタを備える、Ｃ２５に記載のコンピュータプログラム製品。
[Ｃ２７]
前記コンピュータ可読記憶媒体が、コンピュータに、前記少なくとも１つのセクタのパイロットエネルギーに従って前記１組のセクタに含まれるべき前記少なくとも１つのセクタを選択させるための命令をさらに備える、Ｃ２６に記載のコンピュータプログラム製品。
[Ｃ２８]
前記コンピュータ可読記憶媒体が、コンピュータに、
候補セットに含まれる各セクタのパイロットエネルギーに従って前記アクセス端末のための前記候補セットに含まれるセクタをランク付けさせ、
前記ランク付けに従って前記１組のセクタに含まれるべき前記少なくとも１つのセクタを選択させる
ための命令をさらに備える、Ｃ２６に記載のコンピュータプログラム製品。
[Ｃ２９]
コンピュータに前記１組のセクタを生成させるための前記命令が、
前記候補セットにおける前記セクタの各々のパイロットエネルギーに従って、前記候補セットにおけるＮ個の最も強いセクタを選択し、
前記１組のセクタに前記Ｎ個の選択されたセクタのうちの少なくとも１つを追加する
ようにさらに構成される、Ｃ２６に記載のコンピュータプログラム製品。
[Ｃ３０]
前記コンピュータ可読記憶媒体が、コンピュータに、前記候補セットから第１のセクタが削除されることに応答して、前記１組のセクタから前記第１のセクタを削除させるための命令をさらに備える、Ｃ２６に記載のコンピュータプログラム製品。
[Ｃ３１]
前記コンピュータ可読記憶媒体が、コンピュータに、
結合された１組のセクタの各々の信号対干渉雑音比に従って、前記アクセス端末のための前記アクティブセットおよび前記候補セットにおける前記セクタを備える前記結合された１組のセクタをランク付けさせ、
前記ランク付けに従って前記１組のセクタを再生させる
ための命令をさらに備える、Ｃ２６に記載のコンピュータプログラム製品。
[Ｃ３２]
前記１組のセクタが、前記アクセス端末のための前記アクティブセットに含まれるすべてよりも少ないセクタを備える、Ｃ２５に記載のコンピュータプログラム製品。
【図１】
0005694617.tif 000002
【図２】
0005694617.tif 000003
【図３】
0005694617.tif 000004
【図４】
0005694617.tif 000005
【図５】
0005694617.tif 000006
【図６】
0005694617.tif 000007
【図７】
0005694617.tif 000008
【図８】
0005694617.tif 000009